(57)【要約】      （修正有）【課題】一つの作業で締め付け具、カムの両方に回転力を与える事を可能とする留め具セットおよび接続部品を提供する。【解決手段】第１の筐体１に係止させるためのストップ部と、ダボ体を第２の筐体２に収納されるカム３に掛合させるための係止塊とを有するダボ体５と、第２の筐体に収納されるカム体を第２の筐体に螺合させる締め付け部材４であって、締め付け部材に対する締め付け力を受けてカム体との間で所定の摩擦力を生じさせる第１の接触部を有する締め付け部材と、ダボ体の係止塊に掛合させるためのストッパと、締め付け部材との間で所定の摩擦力を生じさせる第２の接触部とを有するカム体とを有し、締め付け部材が締め付け方向に回転して第１の接触部と第２の接触部との間で生じた摩擦力によりカム体が回転し、ダボ体の係止塊とカム体のストッパとが互いに掛合してカム体がダボ体を引きつけることにより、第１の筐体と第２の筐体とを接続させる。【選択図】図１
2012219878.tif 000002
【特許請求の範囲】
【請求項１】
第１の筐体と、前記第１の筐体とは異なる第２の筐体とを接続する留め具セットであって、
前記第１の筐体に収納されるダボ体であって、前記第１の筐体に係止させるためのストップ部と、前記ダボ体を前記第２の筐体に収納されるカムに掛合させるための係止塊と、を有するダボ体と、
前記第２の筐体に収納されるカム体を前記第２の筐体に螺合させる締め付け部材であって、前記締め付け部材に対する締め付け力を受けて前記カム体との間で所定の摩擦力を生じさせる第１の接触部を有する締め付け部材と、
前記第２の筐体に収納されるカム体であって、前記ダボ体の係止塊に掛合させるためのストッパと、前記締め付け部材との間で所定の摩擦力を生じさせる第２の接触部とを有するカム体と、を有し、
前記締め付け力を受けた前記締め付け部材が締め付け方向に回転して前記第１の接触部と前記第２の接触部との間で生じた摩擦力により前記カム体が前記締め付け方向に回転し、前記ダボ体の係止塊と前記カム体のストッパとが互いに掛合して前記カム体が前記ダボ体を引きつけることにより、前記ストップ部によって係止された前記第１の筐体と前記第２の筐体とを接続させる、
ことを特徴とする留め具セット。
【請求項２】
前記締め付け部材の第１の接触部は複数のフィンから構成されている、
ことを特徴とする請求項１に記載の留め具セット。
【請求項３】
前記カム体の第２の接触部は複数のエッジ部を有している、
ことを特徴とする請求項１または２に記載の留め具セット。
【請求項４】
前記フィンの一端が隣接するフィンの他端にかけてねじれた形状となっている、
ことを特徴とする請求項２または３に記載の留め具セット。
【請求項５】
前記第１の筐体は前記ダボ体を収納するダボ収納部を有し、前記第２の筐体は前記カム体を収納するカム収納部を有する、
ことを特徴とする請求項１〜４に記載の留め具セット。
【請求項６】
前記締め付け部材は、前記締め付け力によって、前記カム体の側面から前記第２の筐体に、前記カム体を押さえつける、
ことを特徴とする請求項１〜５に記載の留め具セット。
【請求項７】
第１の筐体と、前記第１の筐体とは異なる第２の筐体とが留め具セットによって接続された接続部品であって、
前記留め具セットは、前記第１の筐体に収納されるダボ体であって、前記第１の筐体に係止させるためのストップ部と、前記ダボ体を前記第２の筐体に収納されるカムに掛合させるための係止塊と、を有するダボ体と、前記第２の筐体に収納されるカム体を前記第２の筐体に螺合させる締め付け部材であって、前記締め付け部材に対する締め付け力を受けて前記カム体との間で所定の摩擦力を生じさせる第１の接触部を有する締め付け部材と、前記第２の筐体に収納されるカム体であって、前記ダボ体の係止塊に掛合させるためのストッパと、前記締め付け部材との間で所定の摩擦力を生じさせる第２の接触部とを有するカム体と、を有し、
前記第１の筐体は、前記ダボ体を収納するダボ収納部を有し、
前記第２の筐体は、前記カム体を収納するカム収納部を有し、
前記締め付け力を受けた前記締め付け部材が締め付け方向に回転して前記第１の接触部と前記第２の接触部との間で生じた摩擦力により前記カム体が前記締め付け方向に回転し、前記ダボ体の係止塊と前記カム体のストッパとが互いに掛合して前記カム体が前記ダボ体を引きつけることにより、前記ストップ部によって係止された前記第１の筐体と前記第２の筐体とが接続されている、
ことを特徴とする接続部品。
【発明の詳細な説明】
【技術分野】
【０００１】
本発明は、筺体の接続構造に関する。
【背景技術】
【０００２】
物体の接続構造の一例として、旋回孔を有するカムと係止塊を有するダボを使用する事がある。この構造ではダボの係止塊をカムの旋回孔に侵入させ、カムを回転させる事により、ダボの係止塊をカムに引掛け二つの物体を接続する事が出来る。例えば、特許文献１には、カムおよびダボを用いた物体の接続方法が開示されている。
【先行技術文献】
【特許文献】
【０００３】
【特許文献１】特開２００７−５６９５７号公報
【発明の概要】
【発明が解決しようとする課題】
【０００４】
本明細書の先行技術文献の様に、カムとダボを使用した物体の接続構造を二つの筺体の接続に用いると、ダボが回転するカムに引き付けられた後、接続された二つの筺体を引き離そうとする力に対し抵抗する力が働かないため、ダボの軸方向に引き離す力が加わると、カムはダボを引きつける回転方向とは逆方向に容易に回転し、筺体間の引き付け力が失われてしまう。
【０００５】
カム及びダボを使用した接続構造において、カムが逆回転し引き付け力が失われてしまう事を防止するため、カムをカム側面から締め付け具にて筺体に押さえ付け固定する方法が考えられる。この方法のようにカムを回転させダボを引き付け、締め付け具を回転させ筺体に螺合するには、締め付け具に回転力を与える作業と、カムに回転力を与える作業の二つの作業が必要となり、非常に作業性が悪くより容易な方法が求められていた。
【０００６】
上記課題を解決する為、本発明では一つの作業で締め付け具、カムの両方に回転力を与える事を可能とする留め具セットおよび接続部品を提供する。
【課題を解決するための手段】
【０００７】
上述した課題を解決し、目的を達成するために、本発明にかかる留め具セットは、第１の筐体と、前記第１の筐体とは異なる第２の筐体とを接続する留め具セットであって、前記第１の筐体に収納されるダボ体であって、前記第１の筐体に係止させるためのストップ部と、前記ダボ体を前記第２の筐体に収納されるカムに掛合させるための係止塊と、を有するダボ体と、前記第２の筐体に収納されるカム体を前記第２の筐体に螺合させる締め付け部材であって、前記締め付け部材に対する締め付け力を受けて前記カム体との間で所定の摩擦力を生じさせる第１の接触部を有する締め付け部材と、前記第２の筐体に収納されるカム体であって、前記ダボ体の係止塊に掛合させるためのストッパと、前記締め付け部材との間で所定の摩擦力を生じさせる第２の接触部とを有するカム体と、を有し、前記締め付け力を受けた前記締め付け部材が締め付け方向に回転して前記第１の接触部と前記第２の接触部との間で生じた摩擦力により前記カム体が前記締め付け方向に回転し、前記ダボ体の係止塊と前記カム体のストッパとが互いに掛合して前記カム体が前記ダボ体を引きつけることにより、前記ストップ部によって係止された前記第１の筐体と前記第２の筐体とを接続させる、ことを特徴とする。
【０００８】
また、本発明は、上記留め具セットによって接続される接続部品である。
【発明の効果】
【０００９】
本発明によれば、一つの作業で締め付け具、カムの両方に回転力を与え、筐体の接続を容易にさせる留め具セットおよび接続部品を提供することができる。
【図面の簡単な説明】
【００１０】
【図１】本発明の一実施形態の分解斜視図である。
【図２】本発明の上部筺体の部位について説明する為の断面斜視図であり、図１のA部の拡大図である。
【図３】本発明のカムの外観斜視図である。
【図４】本発明のカムのダボ入口及び旋回孔を示した上面図である。
【図５】本発明のカムのダボ入口と、カムハウジングを示した断面図であり、図４のI−I部分の断面図である。
【図６】本発明の締め付け具を座面方向から示した外観斜視図である。
【図７】本発明の締め付け具を十字穴方向から示した外観斜視図である。
【図８】本発明のダボを示した外観斜視図である。
【図９】本発明のダボがダボ収納スペースに組み込まれた様子を示した接続部品の分解斜視図である。
【図１０】本発明のダボがダボ収納スペースに組み込まれた様子を示した接続部品の拡大斜視図であり、図９のＢ部の拡大図である。
【図１１】本発明のカムがカム収納スペースに組み込まれる様子を示した接続部品の拡大分解斜視図であり、図９のＣ部の拡大図である。
【図１２】本発明の下部筺体と、下部筺体に挿入されるカム及び締め付け具の関係を説明する為の側面図である。
【図１３】本発明の下部筺体と摩擦トルクを発生させるカムと締め付け具の接続構造を示した断面図であり、図１２のII−II部分の断面図である。
【図１４】本発明の摩擦トルクを発生させるカムエッジ部と摩擦フィンの接触部を説明するための拡大図であり、図１２のＤ部の拡大図である。
【図１５】本発明のダボを、下部筺体のダボ入口穴に挿入するように位置決めをしている様子を説明する為の図である。
【図１６】本発明のダボが下部筺体のダボ入口穴と、カムのダボ入口に挿入された様子を説明する為の図である。
【図１７Ａ】本発明の締め付け具を回転させ、下部筺体のネジ穴に螺合すると同時にカムエッジ部と接触する事によって摩擦トルクを発生させ、カムも回転させている様子を説明する為の図である。
【図１７Ｂ】図１７ＡのIII−III部の断面拡大図である。
【図１８】本発明のカムを回転後、ダボ係止塊とカムストッパーが接触したため停止し、その後締め付け具のみが回転して下部筺体のネジ結合穴に締まっている様子を説明する為の図である。
【図１９Ａ】本発明の締め付け具がカムを下部筺体に押さえ付け固定し、上部筺体と下部筺体がカムとダボによって接続される様子を説明する為の図である。
【図１９Ｂ】図１９ＡのIV−IV部の断面拡大図である。
【図２０Ａ】締め付け具の摩擦フィン後部がカムエッジ部に接触している締め付け具の回転前の初期の段階を示した図である。
【図２０Ｂ】締め付け具が図２０Ａの初期の段階から４５度回転した状態を示した図である。
【図２０Ｃ】締め付け具が図２０Ｂの段階からさらに４５度回転した状態を示した図である。
【図２１】本発明の接続を行うにあたり、上部筺体と下部筺体の基本形状が直方体でなく、筒状の例を示した斜視図である。
【図２２】本発明の接続部品のカムのカムハウジング部と締め付け具の摩擦フィンが筒状の場合の例を示した斜視図である。
【図２３】本発明の接続部品のカムのカムハウジング部が筒状で、締め付け具の摩擦フィンがねじれ無しの場合の例を示した斜視図である。
【図２４】本発明の接続部品のカムのカムエッジ部数が奇数で、締め付け具の摩擦フィンが筒状の例を示した斜視図である。
【発明を実施するための形態】
【００１１】
以下、本発明にかかる留め具セットおよび接続部品の実施形態について、添付図面を参照しながら詳細に説明する。図１に示すように、本実施例における筐体の接続構造は、上部筺体１、下部筺体２、カム３、締め付け具４、そしてダボ５を備える。この接続構造は、カム３、締め付け具４、ダボ５を接続部品として使用し、上部筺体１と下部筺体２とを接続する構造となっている。なお、以下では、筐体の接続構造の例として、上部筐体および下部筐体を接続させる場合について説明しているが、右部筐体および左部筐体など、接続される筐体の向きはいずれの向きであってもよい。
【００１２】
まず、図１及び図２を用いて本発明の接続を実施する為の各部品について説明する。図１は、本発明にかかる筐体の接続構造の分解斜視図である。図２は、本発明にかかる筐体の接続構造によって接続される上部筺体１の部位について説明する為の断面斜視図であり、図１の拡大図である。上部筺体１は、ダボ５を通す為のダボ出口穴１ａ、ダボ５を収納する為のダボ収納スペース１ｂ、そしてダボ５が上部筺体１のダボ収納スペース１ｂからダボ出口穴１ａを介して下方に挿入される際、ダボ出口穴１ａを貫通して脱落するのを防止するため、ダボ中央軸５ｂに接触しダボ５を止めるためのダボストッパー１ｃから構成される。下部筺体２は、上部筺体１のダボ出口穴１ａから伸びたダボ５を挿入する為のダボ入口穴２ａ、カム３をはめ込むためのカムはめ込みスペース２ｂ、及び締め付け具４のネジ部４ａが螺合するネジ結合穴２ｃを備える。
【００１３】
次に、図３、図４、図５を用いて、カム３について説明する。図３は、カム３の外観斜視図であり、カム３はネジ受け面３ａ、旋回孔３ｂ、ダボ入口３ｃ、カム貫通穴３ｄ、カムハウジング部３ｅ、カムエッジ部３ｅ１の部位から構成される。図４は、カム３のダボ入口３ｃ及び旋回孔３ｂを示した上面図である。図５は、カム３のダボ入口３ｃと、カムハウジング部３ｅを示した断面図であり、図４のI−I部分の断面図である。旋回孔３ｂは、カム係止エッジ３ｂ１、カム溝３ｂ２、カムストッパー３ｂ３の部位から構成される。本実施例のカム３は、カムハウジング部３ｅに４箇所のカムエッジ部３ｅ１を有するが、側面から見て中心軸周りに円形パターンとなっていればその数に制限はない。
【００１４】
次に、図６及び図７を用いて、締め付け具４について説明する。図６は、締め付け具４を座面４ｂの方向から示した外観斜視図である。図７は、締め付け具４を十字穴４ｃの方向から示した外観斜視図である。図６、図７に示すように、締め付け具４は、下部筺体２のネジ結合穴２ｃに螺合するネジ部４ａ、カム３を押さえつける座面４ｂ、締め付け具４を締め付ける方向または締め付け具４を緩める方向に作用する力（第１の回転力）を受ける十字穴４ｃ、カムエッジ部３ｅ１に接触し、カム３に回転力を伝えるための摩擦フィン４ｅ（接触する摩擦フィン４ｅの先端部（エッジ部）は摩擦フィン接触部４ｄと呼ぶ）から構成される。図７に示すように、１つの摩擦フィン４ｅが有する摩擦フィン接触部４ｄの一端（フィン前部４ｄ１）と、その摩擦フィン４ｅに隣接する摩擦フィン４ｅが有する摩擦フィン接触部４ｄの一端（フィン後部４ｄ３）とは、締め付け具４が回転力を受けて進む方向に平行な線Ｄの方向から見た場合に、互いに重なるような形状となっている。摩擦フィン４ｅがこのような形状を有しているため、カム３と締め付け具４の摩擦フィン４ｅとが常時接触した状態を保つことができ、後述するように、カム３は摩擦フィン４ｅから常に一定の回転力を受けて回転するようになっている。
【００１５】
次に、図８を用いてダボ５の説明をする。図８は、本実施例におけるダボ５を示した外観斜視図である。図８に示すように、ダボ５は、係合軸５ａ、中央軸５ｂ、ダボストップ面５ｃの部位から構成される。係合軸５ａは挿入首部５ａ１、係止塊５ａ２の部位から構成される。
【００１６】
次に、上部筺体１、下部筺体２を接続する為に用いる接続部品の組み立て手順を説明する。
【００１７】
部品組み立て手順１：ダボ５と上部筺体１
図１０は、本実施例におけるダボ５が、ダボ収納スペース１ｂに組み込まれた様子を示した拡大斜視図であり、図９のＢ部の拡大図である。本図を用いて上部筺体１にダボ５を収納する組み立て手順について説明する。ダボ５は、係合軸５ａが、上部筺体１のダボ収納スペース１ｂのダボ出口穴１ａから先に出る方向を下方に向けて、ダボ収納スペース１ｂに収納される。
【００１８】
部品組み立て手順２：カム３と下部筺体２
図１１は、本実施例におけるカムが、カム収納スペースに組み込まれる様子を示した拡大分解斜視図であり、図９のＣ部分の拡大図である。本図を用いて下部筺体２のカムはめ込みスペース２ｂにカム３をはめ込む手順を説明する。カム３をはめ込む方向は、カム側面裏３ｇが下部筺体２のカムはめ込みスペース２ｂに向く方向にはめ込む。カム３をカムはめ込みスペース２ｂにはめ込み後、カム３のダボ入口３ｃと下部筺体２のダボ入口穴２ａの中心軸が一致していない場合、カム３を回転させ一致させる。
【００１９】
部品組み立て手順３：締め付け具４とカム３
締め付け具４をカム３にはめ込む手順を説明する。図１３は、下部筺体２と、摩擦トルクを発生させるカム３と締め付け具４の接続構造を示した断面図であり、図１２のII−II部分の断面図である。図１４は、本実施例における摩擦トルクを発生させるカムエッジ部３ｅ１と摩擦フィン接触部４ｄを説明するための拡大図であり、図１２のＤ部分の拡大図である。まず、締め付け具４をネジ部４ａの先端からカム３のカムハウジング部３ｅ側から挿入する。挿入の際、図１３と図１４に示すように、締め付け具４の中心軸から摩擦フィン４ｅ先端までの長さは、カムハウジング部３ｅの中心軸からカムエッジ部３ｅ１までの長さより長いため、接触する。図１４に示した例では、ある１つの摩擦フィン４ｅが有する摩擦フィン接触部４ｄ２が、フィン中間部４ｄ２-２でカムエッジ部３ｅ１に接触している様子を示している。このとき、その摩擦フィン４ｅの摩擦フィン接触部４ｄ２のうちのフィン前部４ｄ１−２は、隣接する摩擦フィン４ｅの摩擦フィン接触部４ｄ３のうちのフィン後部４ｄ３−３に重なった状態となっている。一方、その摩擦フィン４ｅの摩擦フィン接触部４ｄ２のうちのフィン後部４ｄ３−２は、隣接する摩擦フィン４ｅの摩擦フィン接触部４ｄ１のうちのフィン前部４ｄ１−１に重なった状態となっている。したがって、上述したように、カム３と締め付け具４の摩擦フィン４ｅとが常時接触した状態を保ちつつ、カム３は摩擦フィン４ｅから常に一定の回転力を受けて回転する。
【００２０】
次に、カム３、締め付け具４、そしてダボ５を接続部品として使用し、上部筺体１と下部筺体２を接続する手順を、図１５〜１９Ｂを用いて説明する。
【００２１】
図１５は、本実施例におけるダボ５を、下部筺体２のダボ入口穴２ａに挿入するように位置決めをしている様子を説明する為の図である。これらの接続を行うには、図１５に示すように、先ずダボ５をダボ収納スペース１ｂから伸ばした状態にする。
【００２２】
図１６は、ダボ５が下部筺体２のダボ入口穴３ｃと、カム３のダボ入口２ａに挿入された様子を説明する為の図である。ダボ５を伸ばした後、図１６に示すように、ダボ５の中心軸と、ダボ入口穴２ａの中心軸とが同一線上になる様に配置し、ダボ５を下部筺体２のダボ入口穴２ａを貫通させてカム３のダボ入口３ｃに挿入する。
【００２３】
図１７Ａ及び図１７Ｂは、本実施例における締め付け具４が回転し、下部筺体２のネジ結合穴２ｃに螺合する際に、締め付け具４の摩擦フィン４ｅがカム３を側面から下部筺体２に押さえ付け、摩擦フィン４ｅがカムエッジ部３ｅ１と接触している事によって摩擦トルクを発生させ、カム３が回転している様子を説明する為の図である。ダボ５をカム３に挿入後、図１７Ｂに示すように、締め付け具４のネジ部４ａが下部筺体２のネジ結合穴２ｃに締めこまれる様に十字穴４ｃを回転させると、締め付け具４の摩擦フィン接触部４ｄがカム３のカムエッジ部３ｅ１と接触していることにより、カムエッジ部３ｅ１に摩擦力を発生させ、カム３は締め付け具４の締め付け方向と同方向に回転する。
【００２４】
図１８は、本実施例におけるカム３を回転後、ダボ係止塊５ａ２とカムストッパー３ｂ３が接触して掛合したため停止し、その後締め付け具４のみが回転して下部筺体２のネジ結合穴２ｃに締まっている様子を説明する為の図である。図１８に示すように、カム３は、旋回孔３ｂのカムストッパー３ｂ３がダボ係止塊５ａ２に接触するまで回転し、ダボ係止塊５ａ２にカムストッパー３ｂ３が接触すると、両者が掛合し、回転が停止する。カム３がダボ係止塊５ａ２に接触後、締め付け具４にカム３と下部筺体２との間の静止摩擦力以上の回転力を与え続けると、摩擦フィン４ｅはカム３のカムエッジ部３ｅ１を滑り、カム３と締め付け具４との間に発生する摩擦力により、カム３を締め付け具４の回転方向（締め付け方向）と同方向に回転させようとする力が働く。この様に、カム３が回転を続けようとする事によってカムストッパー３ｂ３に掛合した状態にあるダボ係止塊５ａ２を回転方向（締め付け方向）に引きつける。その結果、ダボ５がさらに引き付けられ、ダボ５が組み込まれている上部筺体１は下部筺体２に強固に引き付けられる。
【００２５】
図１９Ａ及び図１９Ｂに示すように、図１８に示した状態からさらに締め付け具４を回転させ続けると、締め付け具４がカム３をカム側面３ｆ側から下部筺体２に押さえ付け、ネジ部４ａと下部筺体２のネジ結合穴２ｃが螺合して固定される事によって、カム３が逆回転して上部筺体１と下部筺体２が緩まないように固定する事ができる。
【００２６】
次に、図１１を用いて、カムエッジ部３ｅ１と、摩擦フィン４ｅとの間で摩擦力の発生する接点の数について説明する。カムエッジ部３ｅ１と、摩擦フィン４ｅとの間にて摩擦力が発生する接点の数は、カムエッジ部３ｅ１と摩擦フィン４ｅの形状によって決まる。摩擦フィン４ｅは、締め付け具４の回転軸を中心に、摩擦フィン４ｅの一端であるフィン前部４ｄ１からフィン中間部４ｄ２を通り、摩擦フィン４ｅの他端であるフィン後部４ｄ３にかけてねじれている。このフィン前部４ｄ１からフィン後部４ｄ３までの角度をねじれ角度４ｆと呼ぶ。以下に、カムエッジ部３ｅ１の数と摩擦フィン４ｅの枚数が同じ場合であり、１枚の摩擦フィン４ｅが接触しているカムエッジ部３ｅ１との接点を１箇所とする場合の摩擦フィン４ｅのねじれ角度４ｆの計算方法を示す。
ねじれ角度４ｆ＝３６０°／（摩擦フィン４ｅ枚数）
次に、各摩擦フィン４ｅとカムエッジ部３ｅ１の接点をＮ箇所ずつにする場合のねじれ角度４ｆの計算方法を示す。
ねじれ角度４ｆ＝３６０°／（摩擦フィン４ｅ枚数／Ｎ）
以上のように、摩擦フィン４ｅの枚数とカムエッジ部３ｅ１の数とねじれ角度４ｆを設定する事によって、締め付け具４とカム３の間で同時に接触している接点の数を自由に設定する事ができる。以上の方法により回転中に接触箇所数に変化が無いように同時接触箇所数を設定すると、締め付け具４がねじれ方向に回転する際に発生する摩擦力が一定に保たれ、非常に安定した回転となり震えない等のメリットがある。
【００２７】
次に、図２０Ａ〜２０Ｃを用いて、摩擦フィン４ｅが４枚、ねじれ角度４ｆが９０°、そしてカムエッジ部３ｅ１が４箇所の場合における締め付け具４とカム３の接触のメカニズムを説明する。
【００２８】
図２０Ａは、締め付け具４の摩擦フィン４ｅ１が有する摩擦フィン後部４ｄ３がカムエッジ部３ｅ１に接触し、回転が始まる前の状態を示した図である。締め付け具４の十字穴４ｃに回転力を与えると、締め付け具４は回転を始める。図２０Ｂは、図２０Ａに示した締め付け具４に回転力を与え、４５度回転させた状態を示す図である。締め付け具４が４５度回転すると、図２０Ｂに示すように、摩擦フィン４ｅ１とカムエッジ部３ｅ１の接触箇所が、摩擦フィン後部４ｄ３から摩擦フィン中間部４ｄ２に移動する。
【００２９】
図２０Ｃは、締め付け具４が図２０Ｂに示した状態からさらに４５度回転した図である。図２０Ｂに示した状態の締め付け具４に回転力を与え続けると、締め付け具４は回転を続け、摩擦フィン４ｅ１とカムエッジ部３ｅ１の接触箇所が、摩擦フィン中間部４ｄ２から摩擦フィン前部４ｄ１に移動する。そして、摩擦フィン４ｅ１の摩擦フィン前部４ｄ１がカムエッジ部３ｅ１に達すると、次の隣接する摩擦フィン４ｅ２の摩擦フィン後部４ｄ３とカムエッジ部３ｅ１の間に接触箇所が移行する。この締め付け具４の摩擦フィン４ｅとカムエッジ部３ｅ１の接触のメカニズムが繰り返されることで、締め付け具４の回転中、カム３との接触箇所の数が変化ないため、一定の摩擦力を発生する事が出来る。
【００３０】
次に、上述した実施例と同機能を有した各部品の形状のバリエーション（変形例）について説明する。先ず、本実施例の締め付け具４は、４箇所の摩擦フィン４ｅを有するが、０箇所（摩擦フィン４ｅが０箇所の場合、図２２に示す締め付け具４の様に筒状となる）、または２箇所以上でありかつ中心軸周りに円形パターンであれば何箇所有しても良い。
【００３１】
次に、上部筺体１と下部筺体２の形状のバリエーションについて説明する。本実施例の上部筺体１と下部筺体２は直方体を基本とした構造となっているが、カム３、締め付け具４、ダボ５を接続部品として使用する事が可能であれば、どの様な形状でも良い。例えば、図２１に示すように、下部筺体２が筒状であり、上部筺体１が下部筺体２と接触可能な形状であってもよい。
【００３２】
次に、カム３のカムエッジ部３ｅ１と締め付け具４の摩擦フィン４ｅが特殊な形状と個数の組み合わせの例として、図２２、図２３、図２４を用いて三つのバリエーションを説明する。図２２は、カムエッジ部３ｅ１と摩擦フィン４ｅが筒状である場合の組み合わせの例である。図２３は、カムエッジ部３ｅ１が筒状であり、摩擦フィン４ｅにねじれが無い場合の組み合わせの例である。図２４は、カムエッジ部３ｅ１の数が奇数であり（本図では三個の場合）、中心軸周りに円形パターンで、摩擦フィン４ｅが筒状の例である。このように、カム３と摩擦フィン４との間で摩擦力を生じさせるものであれば、その形状はいずれの形状であってもよい。
【００３３】
最後に、本実施例の締め付け具４に回転力を与える為の十字穴４ｃの形状のバリエーションについて説明する。本実施例における接続構造にて回転力を締め付け具４に与える為には、十字穴４ｃに回転力を与えているが、この穴形状は、六角、トルクス形状の様に中心軸周りに回転トルクを与える事が可能であればどの様な形状でも良い。以上が、本発明にかかる筐体の接続構造における実施例と同機能を持った各部品の形状のバリエーションである。本発明は、上記実施の形態そのままに限定されるものではなく、実施段階ではその要旨を逸脱しない範囲で構成要素を変形して具体化することができる。
【００３４】
このように、本発明の接続構造は、上部筺体と、上部筺体に組み込まれ係止塊を有するダボと、締め付け具と、下部筺体と、内部に締め付け具がはめ込まれ下部筺体にはめ込まれるカムを有し、締め付け具に回転力を与え回転させると、この締め付け具の外周部はカムのハウジング部と接触しているため、接触部に摩擦力が発生する。この摩擦力によりカムに回転力が与えられ、カムは締め付け具と同方向に回転し、カムの旋回孔に係止塊が挿入されたダボを引き付ける。ダボを完全に引き付けた時点でカムの回転が止まる構造となっているが、締め付け具とカムの接触部は、締め付け具とカムの間の静止摩擦力以上の力を加えると滑る構造となっているため、締め付け具のみ回転を続け、ネジ部が下部筺体のネジ穴に締まる事によって間に在るカムを側面から下部筺体に押さえ付け、固定する事ができる。したがって、本発明の接続構造によると、締め付け具に回転力を与え回転させる事で、接触するカムとの間に発生する摩擦力を利用して、そのカムに回転力を伝達させる事が可能である。以上の回転力の伝達方法によると、一つの作業で締め付け具とカムに回転力を与える事ができ、接続作業が容易となる効果がある。
【符号の説明】
【００３５】
１      上部筺体
１ａ    ダボ出口穴
１ｂ    ダボ収納スペース
１ｃ    ダボストッパー
２      下部筺体
２ａ    ダボ入口穴
２ｂ    カムはめ込みスペース
２ｃ    ネジ結合穴
３      カム
３ａ    ネジ受け面
３ｂ    旋回孔
３ｂ１  カム係止エッジ
３ｂ２  カム溝
３ｂ３  カムストッパー
３ｃ    ダボ入口
３ｄ    カム貫通穴
３ｅ    カムハウジング部
３ｅ１  カムエッジ部
３ｆ    カム側面
３ｇ    カム側面裏
４      締め付け具
４ａ    ネジ部
４ｂ    座面
４ｃ    十字穴
４ｄ    摩擦フィン接触部
４ｄ１  フィン前部
４ｄ２  フィン中間部
４ｄ３  フィン後部
４ｅ    摩擦フィン
４ｅ１  摩擦フィンA
４ｅ２  摩擦フィンB
４ｆ    ねじれ角度
５      ダボ
５ａ    係合軸
５ａ１  挿入首部
５ａ２  係止塊
５ｂ    中央軸
５ｃ    ダボストップ面。
【図１】
2012219878.tif 000003
【図２】
2012219878.tif 000004
【図３】
2012219878.tif 000005
【図４】
2012219878.tif 000006
【図５】
2012219878.tif 000007
【図６】
2012219878.tif 000008
【図７】
2012219878.tif 000009
【図８】
2012219878.tif 000010
【図９】
2012219878.tif 000011
【図１０】
2012219878.tif 000012
【図１１】
2012219878.tif 000013
【図１２】
2012219878.tif 000014
【図１３】
2012219878.tif 000015
【図１４】
2012219878.tif 000016
【図１５】
2012219878.tif 000017
【図１６】
2012219878.tif 000018
【図１７Ａ】
2012219878.tif 000019
【図１７Ｂ】
2012219878.tif 000020
【図１８】
2012219878.tif 000021
【図１９Ａ】
2012219878.tif 000022
【図１９Ｂ】
2012219878.tif 000023
【図２０Ａ】
2012219878.tif 000024
【図２０Ｂ】
2012219878.tif 000025
【図２０Ｃ】
2012219878.tif 000026
【図２１】
2012219878.tif 000027
【図２２】
2012219878.tif 000028
【図２３】
2012219878.tif 000029
【図２４】
2012219878.tif 000030